(57)【要約】【課題】  ハンマー投げや円盤投げなどの陸上競技において、失投による投擲フェンスの支柱及びネットの損傷を防ぐことのできる衝撃緩和スクリーンを提供する。【解決手段】  金属製のワイヤーを格子状に上下左右に編み込んで形成した方形の金属製ネットと、該金属製ネットの上端を挟み込み、水平方向に延びる一対の挟持板と、前記金属製ネットと前記挟持板とを締結して固定する複数のボルトと、前記挟持板の上部の左右に備えられた一対の取付部とを具備する。  【選択図】      図５
2007319200.tif 000002
【特許請求の範囲】
【請求項１】
金属製のワイヤー又はチェーンを格子状に上下左右に編み込んで形成した方形の金属製ネットと、
該金属製ネットの上端を挟み込んで固定した水平方向に延びる挟持板と、
該挟持板に備えられた一対の取付部とを具備することを特徴とする衝撃緩和スクリーン。
【請求項２】
前記金属製のワイヤーは、ステンレスワイヤーよりなることを特徴とする請求項１に記載の衝撃緩和スクリーン。
【請求項３】
ハンマー投げや円盤投げなどの陸上競技において、ハンマーや円盤などの硬質飛翔物の失投による投擲フェンスの支柱及びネットの損傷を防ぐ投擲フェンス防護方法であって、
前記請求項１に記載の衝撃緩和スクリーンを、投擲サークルの周りに半円を描くように設置された支柱及びネットにより形成される投擲フェンスの両端部の一対の支柱に吊り下げることを特徴とする投擲フェンスの防護方法。
【発明の詳細な説明】
【技術分野】
【０００１】
本発明は、ハンマー投げや円盤投げなどの陸上競技の特に練習中において、ハンマーや円盤などの硬質飛翔物の失投による投擲フェンスの支柱及びネットの損傷を防ぐことができる衝撃緩和スクリーン及び該スクリーンを用いた投擲フェンスの防護方法に関する。
【背景技術】
【０００２】
従来のこの種の技術としては、例えば、ハンマー投げや円盤投げなどの陸上競技に用いられる陸上競技用の防護ネット張設装置において、防護ネットの高さを高くすることができ、且つ可搬性及び収納性に富んだ陸上競技用の防護ネット張設装置（例えば、特許文献１）が知られている。  
【０００３】
上記特許文献１の陸上競技用の防護ネット張設装置１４においては、図６及び図７に示すように、複数のキャスタを下面に取り付けた台車フレーム１５に、複数の太さの異なるパイプ１６a、１６b及び１６cを同軸、且つ互いに軸線方向に伸縮自在となるように構成している。そして、最下段より上側のパイプ１６b及び１６cを上下方向に変位させてポール１７を伸縮させ、支持機構１８により、最上段のパイプ１６cの上端部から下方にネット１０を吊り下げ支持する。
【０００４】
また、複数のパイプ１６a乃至１６cを重ねて縮めておけば、ポール１７の高さが低くなって装置全体のサイズを小さくすることができるので、収納性が良好になる。このように複数のパイプ１６a乃至１６cを縮めてポール１７の高さを低くした状態で、キャスタを転がしていけば容易に防護ネット張設装置１４を運ぶことができるので、可搬性も良好になる。
そして、陸上競技場に複数の防護ネット張設装置１４を搬入して、ハンマ投げ用及び円盤投げ用などの投擲サークル８を取り囲んだ状態で、各防護ネット張設装置１４の伸縮機構を用いてポール１７を伸ばせば、図７に示すように、支持機構１８により、ネット１０がポール１７の最上段のパイプ１６cの上端部に吊り下げられるので、投擲サークル８を囲むネット１０の高さを高くすることもでき、他の競技者の安全も充分に確保される。さらに、この防護ネット張設装置１４を収納する場合には、前記手順を逆に行えば容易に同装置１４を収納庫に収納させることができる。
【特許文献１】特開平８−８９６１５
【発明の開示】
【発明が解決しようとする課題】
【０００５】
しかし、上記のような陸上競技用の防護ネット張設装置１４においては、図６に示すように、投擲サークル８を取り囲むように、複数の陸上競技用の防護ネット張設装置１４のネットフレーム２１を連結板１９及び連結ボルト２０で連結させて設置しただけであった。
【０００６】
従って、特にハンマー投げや円盤投げの練習中に、失投したハンマーや円盤が、投擲サークル８の周りに略半円形に取り囲むように設置された両端部の防護ネット張設装置１４に当り易いため、該両端部の防護ネット張設装置１４のネット１０に穴が開いたり、ポール１７やネットフレーム２１が曲がるなど、損傷し易いという問題があった。
また、ハンマーや円盤などが、ポール１７やネットフレーム２１に当り、跳ね返る場合、危険であるという問題もあった。
更にまた、ネット１０や、ポール１７及びネットフレーム２１の補修の多くは２、３年で必要になるものであり、経費が掛かっていた。
【０００７】
本発明は、以上のような事情や問題点に鑑みてなされたものであり、ハンマー投げや円盤投げなどの失投により、ハンマーや円盤などが頻繁に当たる場所において、投擲フェンスの支柱やネットを保護することのできる衝撃緩和スクリーンを提供することを目的とする。
【課題を解決するための手段】
【０００８】
上記目的を達成するための請求項１の発明は、金属製のワイヤー又はチェーンを格子状に上下左右に編み込んで形成した方形の金属製ネットと、該金属製ネットの上端を挟み込んで固定した水平方向に延びる挟持板と、該挟持板に備えられた一対の取付部とを具備することを特徴とする衝撃緩和スクリーンである。
【０００９】
請求項２の発明は、前記金属製のワイヤーは、ステンレスワイヤーよりなることを特徴とする請求項１に記載の衝撃緩和スクリーンである。
【００１０】
請求項３の発明は、ハンマー投げや円盤投げなどの陸上競技において、ハンマーや円盤などの硬質飛翔物の失投による投擲フェンスの支柱及びネットの損傷を防ぐ投擲フェンス防護方法であって、前記請求項１に記載の衝撃緩和スクリーンを、投擲サークルの周りに半円を描くように設置された支柱及びネットにより形成される投擲フェンスの両端部の一対の支柱に吊り下げることを特徴とする投擲フェンスの防護方法である。
【発明の効果】
【００１１】
請求項１の発明によれば、衝撃緩和スクリーンを、金属製のワイヤー又はチェーンを格子状に編み込んで成る金属製ネットにより形成したので、前記衝撃緩和スクリーンを、投擲サークルの周りに半円を描くように設置された投擲フェンスの両端部の一対の支柱に吊り下げるようにすれば、ハンマー投げや円盤投げなどの失投により、ハンマーや円盤などが頻繁に当る場所においても、ハンマーや円盤などが、金属製の衝撃緩和スクリーンに当って衝撃を緩和させ、投擲フェンスの支柱及びネットに直接当ることがないようにして、該支柱及びネットを損傷することなく保護することができる。
【００１２】
請求項２の発明によれば、金属製のスクリーンは、ステンレスワイヤーを使用したので、雨に濡れても錆びることなく耐久性が向上する。また、失投によりハンマーや円盤などが何度も当っても損傷し難い。
【００１３】
請求項３の発明によれば、陸上競技における投擲フェンスの支柱及びネットを、ハンマー投げや円盤投げなどの失投による損傷から保護する方法として、請求項１による衝撃緩和スクリーンを用いたので、請求項１と同様の効果が得られる。
【発明を実施するための最良の形態】
【００１４】
以下、本発明の実施形態を図１乃至図５に基づいて説明する。
まず、図１乃至図３を用いて、本実施形態に係る衝撃緩和スクリーンの概要について説明する。
本実施形態に係る衝撃緩和スクリーンは、図１に示すように、長尺な金属製のワイヤー２を、上下左右に格子状に編み込むことにより形成された方形の金属製ネット３と、図１乃至図３に示すように、金属製ネット３の上端部を挟持し、金属製ネット３の横幅と同じ幅で水平方向に延びる一対の挟持板４と、金属製ネット３及び挟持板４を締結して固定する複数のボルト５と、挟持板４の上部の左右に備えられたリング状の一対の取付部６とを具備している。
ここで、本実施形態に係る衝撃緩和スクリーン１のワイヤー２は、例えば、直径８ｍｍのＳＵＳ３０４ワイヤーを用い、該ワイヤー２を、図１及び図２に示されるように、５０ｍｍ角の網状に編み込み、縦３０００ｍｍ乃至４０００ｍｍ、横３０００ｍｍの大きさの衝撃緩和スクリーン１を形成する。重量は、約１５０ｋｇ乃至２００ｋｇになる。
なお、本実施形態では、衝撃緩和スクリーン１のワイヤー２は、直径８ｍｍのステンレスのＳＵＳ３０４ワイヤーを用いたが、チェーン等であっても良い。また、衝撃緩和スクリーン１の網目の寸法及び全体の寸法については、随時、所望の大きさに設定できるものである。
【００１５】
次に、図２を用いて、衝撃緩和スクリーン１の金属製ネット３の編み込み方について説明する。
まず、本実施形態においては、ワイヤー２を挟持板４の上端に沿わすように、挟持板４の右端部から左端部へ延ばし、挟持板４の左端部から垂直方向に５０ｍｍ下降させた後、挟持板４の長手方向で、かつ挟持板４と平行となるように挟持板４の右端まで延ばす。次に、ワイヤー２を垂直方向に５０ｍｍ下降させた後、挟持板４の長手方向で、かつ挟持板４と平行となるように挟持板４の左端まで延ばす。そして、ワイヤー２を垂直方向に１００ｍｍ下降させた後、挟持板４の長手方向で、かつ挟持板４と平行となるように挟持板４の左端まで延ばす。更に、ワイヤー２を垂直方向に１００ｍｍ下降させた後、挟持板４の長手方向で、かつ挟持板４と平行となるように挟持板４の左端まで延ばす。上記作業を所定の縦長さになるまで繰り返す。ワイヤー２が所定の縦長さに達すると、次は上方に向かってワイヤー２を延ばす。この際、挟持板４の長手方向に１００ｍｍ間隔で配置したワイヤー２の間を５０ｍｍ間隔で挟持板４の長手方向で、かつ挟持板４と平行になるようにワイヤー２を延ばしながら、左右に蛇行させて、上部の挟持板４に達するまで延ばす。こうすることで、ワイヤー２を挟持板４の長手方向に対して等間隔で張ることができる。
上記方法と同様にして、挟持板４に対して垂直方向についても、ワイヤー２を等間隔で張る。
【００１６】
ここで、金属製ネット３の左右両端及び下端において、水平方向及び垂直方向共に、ワイヤー２が２本あるいは３本重なる部分が出来るが、これは、図２に示すように、複数のリング７で夫々留めることによって安定させる。
また、金属製ネット３の左右両端及び下端以外の場所で、水平方向のワイヤー２と垂直方向のワイヤー２とが交差する部分では、図３に断面図を示すように、一方のワイヤー２の中央に隙間を開け、該隙間に他方のワイヤー２を通すことで安定させる。          
【００１７】
次に、図４及び図５を用いて、本発明の衝撃緩和スクリーン１の設置状態について説明する。
図４に示すように、投擲サークル８の周りに所定の半径で半円を描くように、複数の支柱９を等間隔且つグラウンドに対して垂直に設置し、該複数の支柱９の間に夫々ネット１０を吊り下げることにより張り巡せる。このようにして半円状の投擲フェンス１１を形成する。
図５に示すように、半円を描くように支柱９及びネット１０を設置することにより形成された投擲フェンス１１の両端部の一対の支柱９上端には、Ｊ字状フック１２が夫々備えられている。ここで、衝撃緩和スクリーン１に備えられた一対の取付部６に、両端部にリングを有する棒状の連結部材１３を取り付ける。そして、一対の支柱９に備えられた一対のＪ字状フック１２に、一対の連結部材１３を吊り下げて、支柱９と衝撃緩和スクリーン１とを連結させる。
【００１８】
このように、衝撃緩和スクリーン１の取付部６を、支柱９に備えられたＪ字状フック１２に直接吊るすのではなく、連結部材１３を介して吊るすようにしたことにより、重量の重い衝撃緩和スクリーン１を容易に支柱９に連結させることができる。また、衝撃緩和スクリーン１は厚みがあるので、連結部材１３を介して支柱９に連結させれば、取付部６により直接連結させた場合よりも、ゆとりを持たせて連結させることができ、衝撃緩和スクリーン１の金属製ネット３が支柱９に馴染み易くなるという利点もある。
上記構成により、ハンマー投げや円盤投げなどの失投により、ハンマーや円盤などが投擲フェンス１１の両端部に飛んできた場合、ネット１０に直接当るのではなく、本実施形態の衝撃緩和スクリーン１に当ることになる。
【００１９】
尚、以上の実施形態においては、金属製ネット３としてワイヤーを用いたが、これに代えてチェーンを使用してもよい。この場合にもワイヤーと同様の作用効果が得られるのに加えてより簡単にネットを編むことができ、且つ、耐久性も向上する利点がある。
【００２０】
本実施形態によれば、ハンマー投げや円盤投げなどの特に練習中に、失投によりハンマーや円盤などが、衝撃緩和スクリーンに当ることにより衝撃を緩和させ、投擲サークル８付近の投擲フェンス１１の両端部の支柱９及びネット１０に直接当らないようにしたので、前記支柱９及びネット１０の損傷を防ぐことができる。
また、失投によるハンマーや円盤などが、投擲フェンス１１の支柱９及びネット１０で跳ね返るのを少くし、危険度を低くすることができる。
また、投擲フェンス１１の支柱９及びネット１０の損傷を防ぐことで、支柱９及びネット１０を補修する経費を削減することができる。
【産業上の利用可能性】
【００２１】
本発明に係る衝撃緩和スクリーンは、ハンマー投げや円盤投げなどの特に練習中に、失投による投擲サークル付近の支柱及びネットの損傷を防ぐのに適している。
【図面の簡単な説明】
【００２２】
【図１】本実施形態に係る衝撃緩和スクリーンの一部省略正面図。
【図２】本実施形態に係る衝撃緩和スクリーンの部分拡大図。
【図３】本実施形態に係る衝撃緩和スクリーンの図２におけるＡ−Ａ断面図。
【図４】本実施形態に係る衝撃緩和スクリーンの設置状態を示す平面説明図。
【図５】本実施形態に係る衝撃緩和スクリーンの設置状態を示す要約拡大正面図。
【図６】従来の陸上競技用の防護ネット張設装置の設置状態を示す概略平面説明図。
【図７】従来の図６の概略正面説明図。
【符号の説明】
【００２３】
１  衝撃緩和スクリーン
２  金属製ワイヤー
３  金属製ネット
４  挟持板
５  ボルト
６  取付部
【図１】
2007319200.tif 000003
【図２】
2007319200.tif 000004
【図３】
2007319200.tif 000005
【図４】
2007319200.tif 000006
【図５】
2007319200.tif 000007
【図６】
2007319200.tif 000008
【図７】
2007319200.tif 000009